(57)【要約】【課題】腰、骨盤、および腹筋の運動や、上半身の姿勢の矯正などを効果的に行うことができる揺動椅子を提供する。【解決手段】揺動椅子１においては、基部２の下面に脚部３が固定され、基部２の上方に揺動可能に座部４が設けられている。利用者は、座部４に上方から着座する。さらに、揺動椅子１は、座部４の中央に形成された凹状の収納部４ｄと、収納部４ｄ内に収納された遠赤外線を放射する天然鉱石から成る熱放射部材７と、収納部４ｄを閉塞する蓋体８とを備える。【選択図】図７
0003202595.tif 000002
【実用新案登録請求の範囲】
【請求項１】
基部と、
前記基部の下面に固定された脚部と、
前記基部の上方に揺動可能に設けられた座部と、
を備えた揺動椅子において、
前記座部に形成された凹状の収納部と、
前記収納部内に収納された熱放射部材と、
前記収納部を閉塞する蓋体と、
をさらに備えたことを特徴とする揺動椅子。
【請求項２】
請求項１に記載の揺動椅子において、
前記熱放射部材は、赤外線または遠赤外線を放射する部材である、ことを特徴とする揺動椅子。
【請求項３】
請求項１または請求項２に記載の揺動椅子において、
下端が前記基部の上面の中央に固定され、上端が前記座部の下面の中央に固定された弾性部材をさらに備え、
前記座部は、前記基部の上方で前記弾性部材により揺動可能に支持されており、
前記収納部は、上方へ開口するように前記座部の中央に形成されている、ことを特徴とする揺動椅子。
【請求項４】
請求項１ないし請求項３のいずれかに記載の揺動椅子において、
前記熱放射部材は、前記収納部に対して出し入れ自在であって、加熱することにより熱放射量が増大する円盤形の天然鉱石から成り、
前記座部および前記収納部は、上方から見て円形に形成されている、ことを特徴とする揺動椅子。
【請求項５】
請求項１ないし請求項４のいずれかに記載の揺動椅子において、
前記座部に対して所定の間隔で離間するように、前記基部の後端部に固定された背凭れ兼取っ手部をさらに備えた、ことを特徴とする揺動椅子。
【考案の詳細な説明】
【技術分野】
【０００１】
本考案は、座部が揺動可能に設けられた揺動椅子に関するものである。
【背景技術】
【０００２】
たとえば腰、骨盤、および腹筋の運動や、上半身の姿勢の矯正のために、座部が揺動可能に設けられた揺動椅子がある。この揺動椅子は、たとえば特許文献１〜５に開示されているように、基部の下面に脚部が固定され、基部の上方に座部がばねなどを含んだ機構により揺動可能に支持されている。このため、利用者は、座部に着座した状態で、上半身の体重移動を行うことにより、周囲３６０°のいずれの方向にも座部を自在に揺動させて、腰、骨盤、および腹筋の運動を行ったり、上半身の姿勢を矯正したりすることができる。
【０００３】
ところで、たとえば特許文献６〜９に開示されているように、着座した利用者の身体を温めるため、座部や背凭れ部の内部に暖房手段が設けられた座椅子や座布団がある。
【０００４】
特許文献６では、座椅子の座部や背凭れ部に電気マットが内蔵され、電気マットは遠赤外線を放射する特殊綿で包まれている。特許文献７では、座布団の中央に窪み部が形成され、窪み部の底に赤外線または遠赤外線を放射するシート状の物質が設けられている。
【０００５】
特許文献８では、座椅子の座部や背凭れ部に、凹状のアンカ収納部が形成され、アンカ収納部に対して充電式アンカが出し入れ自在になっている。また、アンカ収納部には、蓋体が着脱自在または開閉自在に設けられている。特許文献９では、座布団の中央に窪みが形成され、該窪みに対して加熱部が着脱自在になっている。加熱部内には、遠赤外線を放射する物質を内蔵したシートと、シートを加熱する懐炉とが収納されている。
【先行技術文献】
【特許文献】
【０００６】
【特許文献１】特表２００９−５４０８７１号公報
【特許文献２】実開昭４８−２２６０６号公報
【特許文献３】実開平２−１２１８４１号公報
【特許文献４】特開２００２−１１９３６２号公報
【特許文献５】特開２００５−５８７１９号公報
【特許文献６】実用新案登録第３１３７８４６号公報
【特許文献７】特開２００３−１８９９７９号公報
【特許文献８】特開２００４−２４３１００号公報
【特許文献９】実用新案登録第３１０４３５１号公報
【考案の概要】
【考案が解決しようとする課題】
【０００７】
利用者が揺動椅子に着座した状態で、身体が冷えていたり筋肉が硬直したりしていると、座部に対して上半身の体重移動を行っても、腰、骨盤、および腹筋の運動や、上半身の姿勢の矯正などを効果的に行うことができない。
【０００８】
本考案の課題は、腰、骨盤、および腹筋の運動や、上半身の姿勢の矯正などを効果的に行うことができる揺動椅子を提供することである。
【課題を解決するための手段】
【０００９】
本考案による揺動椅子は、基部と、基部の下面に固定された脚部と、基部の上方に揺動可能に設けられた座部とを備え、さらに、座部に形成された凹状の収納部と、収納部内に収納された熱放射部材と、収納部を閉塞する蓋体とを備える。熱放射部材は、赤外線または遠赤外線を放射する部材であることが好ましい。
【００１０】
これにより、利用者が揺動椅子の座部に着座した状態で、収納部内に収納された熱放射部材から放射される熱により、利用者の臀部から身体が温められて、各部の筋肉が柔らかくなる。このため、上半身の体重移動を行って、座部を揺動させることにより、腰、骨盤、および腹筋の運動や、上半身の姿勢の矯正などを効果的に行うことができる。また、熱の浸透によって内蔵が暖められ、身体組織が活性化する。さらに、収納部から熱放射部材が離脱するのを蓋体によって防止したり、熱放射部材が利用者の身体に接触するのを蓋体によって阻止したりすることができる。
【００１１】
本考案では、上記揺動椅子において、下端が基部の上面の中央に固定され、上端が座部の下面の中央に固定された弾性部材をさらに備え、座部は、基部の上方で弾性部材により揺動可能に支持されており、収納部は、上方へ開口するように座部の中央に形成されていてもよい。
【００１２】
これにより、弾性部材を軸にして、座部を周囲３６０°のいずれの方向にも揺動自在にすることができる。また、複雑な機構に依らずに、弾性部材によって座部を基部の上方で揺動可能に支持するので、該揺動支持構造を簡単にすることができる。さらに、座部の中央にあって上方へ開口した収納部に熱放射部材が収納されるので、利用者が座部の中央に着座した状態で、熱放射部材により効率良く身体を温めて、各部の筋肉を柔らかくすることができる。
【００１３】
また、本考案では、上記揺動椅子において、熱放射部材は、収納部に対して出し入れ自在であって、加熱することにより熱放射量が増大する円盤形の天然鉱石から成り、座部および収納部は、上方から見て円形に形成されていてもよい。
【００１４】
これにより、熱放射部材から座部の周囲へ均一に熱を放射して、座部上に着座した利用者の身体を温め易くし、筋肉を柔らかくし易くすることができる。また、熱放射部材を別の加熱手段で加熱してから収納部に収納することで、座部上に着座した利用者の身体を一層温めて、筋肉を柔らかくすることができる。さらに、座部と蓋体により熱放射部材を保温して、熱放射部材の熱放射作用を持続させることができる。
【００１５】
さらに、本考案では、上記揺動椅子において、座部に対して所定の間隔で離間するように、基部の後端部に固定された背凭れ兼取っ手部をさらに備えてもよい。
【００１６】
これにより、利用者が座部に着座した状態で、身体の背中を背凭れ兼取っ手部により安定に支えることができる。また、利用者が上半身の体重移動を行って、座部を揺動させる際に、背凭れ兼取っ手部を把持することで、腰、骨盤、および腹筋の運動や、上半身の姿勢の矯正などを安定かつ効果的に行うことができる。さらに、背凭れ兼取っ手部を座部から所定の間隔で離間させているので、座部の揺動が背凭れ兼取っ手部によって妨げられるのを防止することができる。
【考案の効果】
【００１７】
本考案によれば、腰、骨盤、および腹筋の運動や、上半身の姿勢の矯正などを効果的に行うことができる揺動椅子を提供することが可能となる。
【図面の簡単な説明】
【００１８】
【図１】本考案の一実施形態による揺動椅子の斜視図である。
【図２】図１の揺動椅子の正面図である。
【図３】図１の揺動椅子の平面図である。
【図４】図１の揺動椅子の側面図である。
【図５】図１の揺動椅子の背面図である。
【図６】図１の揺動椅子の底面図である。
【図７】図１の揺動椅子の断面図である。
【考案を実施するための形態】
【００１９】
以下、本考案の実施形態につき、図面を参照しながら説明する。各図において、同一の部分または対応する部分には、同一符号を付してある。
【００２０】
図１〜図７は、本考案の一実施形態による揺動椅子１を示した図である。詳しくは、図１は、揺動椅子１の斜視図である。図２は、揺動椅子１の正面図である。図３は、揺動椅子１の平面図である。図４は、揺動椅子１の側面図である。図５は、揺動椅子１の背面図である。図６は、揺動椅子１の底面図である。図７は、揺動椅子１の断面図である。
【００２１】
揺動椅子１は、たとえば腰、骨盤、および腹筋の運動や、上半身の姿勢の矯正のために用いる、一人掛けの椅子である。揺動椅子１は、正面から見て左右対称な構造を有している（図２参照）。
【００２２】
図１などに示すように、揺動椅子１には、板状の基部２が備わっている。基部２は、木製であって、その板面が水平になっている。基部２には、図６に示すように、上下方向から見てほぼ円形をした円形部２ａが設けられている。円形部２ａの下面には、４本の脚部３が固定されている。各脚部３は、木製である。
【００２３】
図１などに示すように、円形部２ａの上方には、座部４が揺動可能に設けられている。座部４は、図３および図６に示すように、上下方向から見て円形に形成されている。
【００２４】
利用者は、上方から座部４に着座する。大人の利用者が座部４に着座した場合に、該利用者の足が地面（床面）に着くように、座部４の高さは設定されている。
【００２５】
図７に示すように、座部４は、クッション部４ａと、クッション部４ａを下方から受ける受板部４ｂと、クッション部４ａを覆うカバー部４ｃなどから構成されている。クッション部４ａは、たとえば合成樹脂製のスポンジから成る。受板部４ｂは、木製である。カバー部４ｃは、たとえば合皮から成り、受板部４ｂに固着されている。
【００２６】
受板部４ｂの下面中央には、弾性部材５の上端が固定具６ｕにより固定されている。弾性部材５の下端は、基部２の円形部２ａの上面中央に固定具６ｂにより固定されている。弾性部材５は、１本の圧縮型のコイルスプリングから成る。各固定具６ｕ、６ｂは、ブラケット、ボルト、およびナットなどから成る。
【００２７】
弾性部材５は、基部２の円形部２ａの上方で座部４を周囲３６０°のいずれの方向にも揺動可能に支持している。無負荷状態では、弾性部材５は、座部４の上面が水平になるように、座部４を支持している。座部４に着座した利用者の体重により、弾性部材５は上下方向に縮むように撓む。また、座部４に着座した利用者が体重移動を行うことにより、弾性部材５が傾くように撓んで、座部４が揺動する。
【００２８】
安全や美観などを考慮して、弾性部材５の下端近傍と固定具６ｂとは、カバー１０で覆われている。座部４の揺動を妨げないように、弾性部材５の上端近傍と固定具６ｕとは、カバー１０で覆われずに、露出している。
【００２９】
図７（ａ）に示すように、座部４の中央には、上方へ開口するように凹状の収納部４ｄが形成されている。収納部４ｄは、上方から見て円形に形成されている（図３参照）。収納部４ｄの底は、図７（ａ）に示すように、受板部４ｂの上面で構成されている。
【００３０】
図７（ｂ）に示すように、収納部４ｄ内には、熱放射部材７が収納される。詳しくは、収納部４ｄの底面に、熱放射部材７が載置される。
【００３１】
熱放射部材７は、温光石と呼ばれる天然鉱石から成り、円盤形に形成されていて、遠赤外線を放射する。たとえば電子レンジなどの別の加熱手段で熱放射部材７を温めることにより、熱放射部材７からの遠赤外線の放射量が増大する。
【００３２】
熱放射部材７の上方には、蓋体８が載置される。蓋体８は、円盤形に形成されていて、クッション部８ａと、クッション部８ａを覆うカバー部８ｃとから構成されている。クッション部８ａは、たとえば合成樹脂製のスポンジから成る。カバー部８ｃは、たとえば合皮から成る。
【００３３】
蓋体８は、収納部４ｄに対して着脱自在であって、収納部４ｄを閉塞する。収納部４ｄから蓋体８を取り去って、収納部４ｄに熱放射部材７を収納する。そして、熱放射部材７上に蓋体８を載置すると、収納部４ｄが閉塞される（図１、図３、および図７（ｂ）などの状態）。これにより、利用者が座部４に着座したときに、該利用者の臀部が熱放射部材７に直接触れるのを、蓋体８により阻止することができる。
【００３４】
また、収納部４ｄから蓋体８を取り去ると、収納部４ｄが開放されて、収納部４ｄから熱放射部材７を取り出すことができる。つまり、熱放射部材７は、収納部４ｄに対して出し入れ自在である。
【００３５】
図７（ｂ）などに示すように、収納部４ｄに熱放射部材７と蓋体８とを装着した状態で、蓋体８の上面は、座部４の上面と面一になる。
【００３６】
他の例として、収納部４ｄに熱放射部材７と蓋体８とを装着した状態で、蓋体８の上面は、座部４の上面より若干上方へ突出していたり下方へ窪んでいたりしてもよい。
【００３７】
図１および図４に示すように、基部２の後端部２ｂは、円形部２ａより後方に突出している。後端部２ｂの上面には、背凭れ兼取っ手部９が固定されている。背凭れ兼取っ手部９は、座部４に対して所定の間隔で離間している。
【００３８】
背凭れ兼取っ手部９は、２本１対の支持棒９ａと、背板９ｂとから構成されている。各支持棒９ａは、左右方向に所定の間隔をおいて、後端部２ｂ上に立設されている。背板９ｂは、座部４より上方で支持棒９ａ間に横架されている。利用者が座部４に着座した状態で、各支持棒９ａと背板９ｂとは、利用者の背中を支える背凭れとして機能したり、利用者の手で把持される取っ手として機能したりする。
【００３９】
図７（ｂ）などに示すように、収納部４ｄに熱放射部材７と蓋体８とを装着した状態で、利用者は座部４に着座する。すると、熱放射部材７から放射される遠赤外線により、利用者の臀部から身体が温められる。そして、利用者は、上半身の体重移動を行うことにより、周囲３６０°のいずれの方向にも座部４を自在に揺動させて、腰、骨盤、および腹筋の運動を行ったり、上半身の姿勢を矯正したりする。その際、利用者は、背凭れ兼取っ手部９の支持棒９ａや背板９ｂを手で把持して、身体のバランスをとったり、背凭れ兼取っ手部９に凭れたりする。
【００４０】
上記実施形態によると、利用者が揺動椅子１の座部４に着座した状態で、収納部４ｄ内に収納された熱放射部材７から放射される遠赤外線により、利用者の臀部から身体が温められて、各部の筋肉が柔らかくなる。このため、利用者は、上半身の体重移動を行って、座部４を揺動させることにより、腰、骨盤、および腹筋の運動や、上半身の姿勢の矯正などを効果的に行うことができる。また、遠赤外線の浸透によって内蔵が暖められ、身体組織が活性化するという効果もある。
【００４１】
また、上記実施形態では、熱放射部材７を覆うように、収納部４ｄを蓋体８で閉塞しているので、収納部４ｄから熱放射部材７が離脱するのを蓋体８によって防止することができる。また、利用者の身体に熱放射部材７が直接接触するのを蓋体８によって阻止することができるので、熱放射部材７が高温であっても火傷の心配はない。
【００４２】
また、上記実施形態では、基部２の上方で座部４の下面中央を弾性部材５により揺動可能に支持している。このため、弾性部材５を軸にして、座部４を周囲３６０°のいずれの方向にも揺動自在にすることができる。また、複雑な機構に依らずに、単一の弾性部材５によって座部４を基部２の上方で揺動可能に支持するので、該揺動支持構造を簡単にすることができる。
【００４３】
また、上記実施形態では、上方へ開口するように、収納部４ｄを座部４の中央に形成し、熱放射部材７を座部４の中央に収納している。このため、利用者が座部４の中央に着座したときに、熱放射部材７から放射する遠赤外線により利用者の身体を効率良く温めて、各部の筋肉を柔らかくすることができる。
【００４４】
また、上記実施形態では、座部４および収納部４ｄを上方から見て円形に形成し、熱放射部材７を円盤形に形成している。このため、熱放射部材７から座部４の周囲に遠赤外線を均一に放射して、座部４上に着座した利用者の身体を温め易くし、各部の筋肉を柔らかくし易くすることができる。
【００４５】
また、上記実施形態では、熱放射部材７が、収納部４ｄに対して出し入れ自在であって、加熱することにより遠赤外線の放射量が増大する天然鉱石から成る。このため、熱放射部材７を別の加熱手段で加熱してから収納部４ｄに収納することで、座部４上に着座した利用者の身体を一層温めて、筋肉を一層柔らかくすることができる。また、座部４と蓋体８により熱放射部材７を保温して、熱放射部材７の熱放射作用を持続させることができる。
【００４６】
また、上記実施形態では、座部４に対して所定の間隔で離間するように、基部２の後端部２ｂに背凭れ兼取っ手部９を固定している。このため、利用者が座部４に着座した状態で、該利用者の背中を背凭れ兼取っ手部９により安定に支えることができる。また、利用者が上半身の体重移動を行って、座部４を揺動させる際に、背凭れ兼取っ手部９を把持することで、腰、骨盤、および腹筋の運動や、上半身の姿勢の矯正などを安定かつ効果的に行うことができる。さらに、背凭れ兼取っ手部９を座部４から所定の間隔で離間させているので、座部４の揺動が背凭れ兼取っ手部９によって妨げられるのを防止することができる。
【００４７】
本考案は、上述した以外にも種々の実施形態を採用することができる。たとえば、以上の実施形態では、座部４および熱放射部材７を円盤形に形成した例を示したが、本考案は、これのみに限定するものではない。座部４および熱放射部材７の形状は、適宜設定すればよい。また、それに合わせて、収納部４ｄの形状も適宜設定すればよい。
【００４８】
また、以上の実施形態では、熱放射部材７として遠赤外線を放射する天然鉱石を用いた例を示したが、本考案は、これのみに限定するものではない。これ以外に、たとえば赤外線を放射する天然鉱石、赤外線または遠赤外線を放射するヒーターや懐炉などのような、他の熱放射部材を用いてもよい。また、電気駆動式の熱放射部材を用いる場合は、充電式のヒーターなどのように、電気的配線が外部に延出しないものが好ましい。さらに、種類の異なる熱放射部材を用意して、利用者が適宜選択できるようにしてもよい。
【００４９】
また、以上の実施形態では、基部２の上方で座部４の中央を１本のコイルスプリングから成る弾性部材５で揺動可能に支持した例を示したが、本考案は、これのみに限定するものではない。これ以外に、たとえば、弾性部材を複数のコイルスプリングで構成したり、ゴムなどのような他の弾性部材により座部を揺動可能に支持してもよい。また、その他の揺動支持構造により、基部の上方で座部を揺動可能に支持してもよい。
【００５０】
さらに、以上の実施形態では、上方へ開口するように収納部４ｄを座部４の中央に形成した例を示したが、本考案は、これのみに限定するものではない。これ以外に、たとえば、側方または下方へ開口するように、座部４に収納部を形成してもよい。
【符号の説明】
【００５１】
１  揺動椅子
２  基部
２ｂ  後端部
３  脚部
４  座部
４ｄ  収納部
５  弾性部材
７  熱放射部材
８  蓋体
９  背凭れ兼取っ手部
【図１】
0003202595.tif 000003
【図２】
0003202595.tif 000004
【図３】
0003202595.tif 000005
【図４】
0003202595.tif 000006
【図５】
0003202595.tif 000007
【図６】
0003202595.tif 000008
【図７】
0003202595.tif 000009